(57)【要約】【課題】本発明は、色調整モニター、色調整システム及び色調整方法を提供する。【解決手段】本発明の色調整モニターは、入力信号画像に対してＬＵＴ映写を行うＬＵＴ映写機能を有し、内部にＬＵＴ記憶ユニットを有し、ＬＵＴデータを受信する受信モジュールと、ＬＵＴデータが予定条件と符合するか否かを解析して、もし予定条件と符合すると、受信したＬＵＴデータをＬＵＴ記憶ユニットに更新し且つ新しいＬＵＴ映写を行い、もし予定条件と合致しないと、ＬＵＴデータを捨てる解析モジュールと、解析モジュールの解析結果に基づいて新しいＬＵＴ映写を経過した後の入力信号画像を表示する表示モジュールと、を備える。本発明は色調整モニターを有する色調整システム及び色調整方法も提供する。【選択図】図１
2016534603.tif 000002
【特許請求の範囲】
【請求項１】
入力信号画像に対してＬＵＴ映写を行うＬＵＴ映写機能を有し、内部にＬＵＴ記憶ユニットを有する色調整モニターであって、
ＬＵＴデータを受信する受信モジュールと、
前記ＬＵＴデータが予定条件と符合するか否かを解析して、もし予定条件と符合すると、受信したＬＵＴデータを前記ＬＵＴ記憶ユニットに更新し且つ新しいＬＵＴ映写を行い、もし予定条件と合致しないと、前記ＬＵＴデータを捨てる解析モジュールと、
前記解析モジュールの解析結果に基づいて新しいＬＵＴ映写を経過した後の入力信号画像を表示する表示モジュールと、
を備えることを特徴とする色調整モニター。
【請求項２】
前記解析モジュールの解析結果を制御端末にフィードバックして、ユーザーがＬＵＴデータを再び調整するか否かを確認することにする応答モジュールをさらに備えることを特徴とする請求項１に記載の色調整モニター。
【請求項３】
前記解析モジュールは受信したＬＵＴデータのデータ格式、データ長さ及び/又はデータ校正情報を予め設定した対応条件と比較して、もしマッチングすると解析結果は予定条件と合致し、前記応答モジュールはデータを正確に受信したという情報をフィードバックするが、もしマッチングしないと解析結果は予定条件と合致しなく、前記応答モジュールはデータを間違いに受信したという情報をフィードバックすることを特徴とする請求項２に記載の色調整モニター。 
【請求項４】
前記色調整モニターはネットワークポート又はデータ伝送ケーブルによってポートに接続されてＬＵＴデータを受信することを特徴とする請求項１に記載の色調整モニター。
【請求項５】
前記解析モジュールと前記ＬＵＴ記憶ユニットの間に接続されて、受信したＬＵＴデータを前記ＬＵＴ記憶ユニットに更新する更新モジュールをさらに備えることを特徴とする請求項１に記載の色調整モニター。
【請求項６】
入力信号画像に対してＬＵＴ映写を行うＬＵＴ映写機能を有し、内部にＬＵＴ記憶ユニットを有する色調整モニターであって、
ユーザーの操作によって特定格式のＬＵＴデータを生成するＬＵＴデータ生成モジュールと、
前記ＬＵＴ記憶ユニットに接続されて、生成したＬＵＴデータを前記ＬＵＴ記憶ユニットに更新し且つ新しいＬＵＴ映写を行う更新モジュールと、
新しいＬＵＴ映写を経過した後の入力信号画像を表示する表示モジュールと、
を備えることを特徴とする色調整モニター。
【請求項７】
入力信号画像に対してＬＵＴ映写を行うＬＵＴ映写機能を有する色調整モニターを備える色調整システムであって、
ユーザーの操作によって特定格式のＬＵＴデータを生成するＬＵＴデータ生成モジュールと、
前記ＬＵＴデータを送信する送信モジュールと、
前記ＬＵＴデータを受信する第一の受信モジュールと、
前記ＬＵＴデータが予定条件と符合するか否かを解析して、もし予定条件と符合すると、受信したＬＵＴデータをＬＵＴ記憶ユニットに更新し且つ新しいＬＵＴ映写を行い、もし予定条件と合致しないと、前記ＬＵＴデータを捨てる解析モジュールと、
前記解析モジュールの解析結果に基づいて、新しいＬＵＴ映写を経過した後の入力信号画像を表示する表示モジュールと、
をさらに備えることを特徴とする色調整システム。
【請求項８】
前記解析モジュールの解析結果を制御端末にフィードバックして、ユーザーがＬＵＴデータを調整するか否かを確認することにする応答モジュールをさらに備えることを特徴とする請求項７に記載の色調整システム。
【請求項９】
前記解析モジュールは受信したＬＵＴデータのデータ格式、データ長さ及び/又はデータ校正情報を予め設定した対応条件と比較して、もしマッチングすると解析結果は予定条件と合致し、前記応答モジュールはデータを正確に受信したという情報をフィードバックするが、もしマッチングしないと解析結果は予定条件と合致しなく、前記応答モジュールはデータを間違いに受信したという情報をフィードバックすることを特徴とする請求項８に記載の色調整システム。
【請求項１０】
前記制御端末は前記応答モジュールがフィードバックする応答情報を受信して表示する第二の受信モジュールをさらに備えることを特徴とする請求項８に記載の色調整システム。
【請求項１１】
前記解析モジュールと前記ＬＵＴ記憶ユニットの間に接続されて、受信したＬＵＴデータを前記ＬＵＴ記憶ユニットに更新する更新モジュールをさらに備えることを特徴とする請求項７に記載の色調整システム。
【請求項１２】
入力信号画像に対してＬＵＴ映写を行うことができる色調整モニターを提供するステップと、
ユーザーの操作によって特定格式のＬＵＴデータを生成するステップと、
前記ＬＵＴデータを前記色調整モニターのＬＵＴ記憶ユニットに更新し且つ新しいＬＵＴ映写を行うステップと、
新しいＬＵＴ映写を経過した後の入力信号画像を表示するステップと、
を備えることを特徴とする色調整方法。
【請求項１３】
前記ＬＵＴデータを前記ＬＵＴ記憶ユニットに更新するステップの前に、
前記ＬＵＴデータを通信ネットワークによって前記色調整モニターに送信するステップと、
発送された前記ＬＵＴデータを受信するステップと、
前記ＬＵＴデータが予定条件と符合するか否かを解析して、もし予定条件と符合すると、受信したＬＵＴデータを前記ＬＵＴ記憶ユニットに更新し、もし予定条件と合致しないと、前記ＬＵＴデータを捨てるステップと、
この解析結果をフィードバックするステップと、
をさらに備えることを特徴とする請求項１２に記載の色調整方法。
【発明の詳細な説明】
【技術分野】
【０００１】
本発明は、画像処理に関するものであって、特に色調整モニター、色調整システム及び色調整方法に関するものである。
【背景技術】
【０００２】
目下、映画技術がデジタル化されて、映像を獲得してから最終に上映されるまで、映像は異なる幾つのシステムによって処理される。例えば、デジタルビデオカメラで撮影した画面は色調整システムによって色調整することを必要として、それからフィルムレコーダーによって映像をフィルムに記録し、最後に投射システムによって映像をスクリーンに投射する。各々のシステムはそれぞれ独特な色空間を有し、即ち同じ映像であっても異なるシステムにおける表現は異なり、色管理の任務はこれらのシステムの色空間の特徴を了解して異なるシステムの色空間を統一させることである。簡単に説明すると、製作過程でモニターに表示される画面と最終にスクリーンに上映される画面の画面効果一致性を確保することを必要とする。
【０００３】
通常、色管理過程は異なる色空間の間で色彩を変換する過程であると見なすことができる。もし色訂正しないと異なる色空間における同じ画面の表現差異はとても大きくなり、モニターに表示される画面と最終にスクリーンに上映される画面は大きい差別があることになり、異なるモニター及び異なる上映環境は全て明らかな視覚差別があることになる。絶対的な意味から言われると、世界には完全に同じな２つの色空間体系はない。現在の市場に現れた色管理システムの役割は異なる媒介及び表示装置に表示される映像の視覚差別をできるだけ縮小することである。最も重要な内容はデジタル色調整過程におけるモニターに表示される画面とフィルムからコピーして最終にスクリーンに上映される画面を統一して、２つの画面がさらに同じに見えることにして、色調整人員に相対的に「正確」な視覚参考を提供する。このような色空間の変換はＬＵＴ（Ｌｏｏｋ  Ｕｐ  Ｔａｂｌｅ）によって完成される。  
【０００４】
ＬＵＴは色管理過程で異なる色空間を接続する橋であり、ＬＵＴを中国語に直訳すると検索表を意味し、ＬＵＴに１つの入力値を提供すると、ＬＵＴは１つの出力値をフィードバックすることができる。例えば、１つの１０ｂｉｔＲＧＢの色空間１において、１つの赤色をＲ＝６４０、Ｇ＝１０２、Ｂ＝９４で表示すると、この赤色は他の１つの１０ｂｉｔＲＧＢの色空間２にも存在するが、Ｒ＝６００、Ｇ＝９０、Ｂ＝１４５で表示されるので、色空間１を色空間２に変換するＬＵＴがデータＲ＝６４０、Ｇ＝１０２、Ｂ＝９４を読み取ってフィードバックする出力値は必ずＲ＝６００、Ｇ＝９０、Ｂ＝１４５である。
【０００５】
ＬＵＴの１つの特徴はオリジナルファィルを変えなくても異なる表示装置に対して色訂正を行うことができ、このようにする利点は原始映像を処理しないのでいかなる損失をもたらしなく且つ原始映像を変えないので大量のレンダータイム（ｒｅｎｄｅｒ  ｔｉｍｅ）を節約する。
【０００６】
しかし、従来のＬＵＴ色調整プロセスはとても複雑であり、１つの色調整箱を別に設置することを必要として、アプリケーションソフトウェアによって生成されたＬＵＴデータに対して色調整処理を行うことにより色調整機能を実現する。従来の技術において、モニターはＬＵＴ機能モジュールを備え、色調整箱もＬＵＴ機能モジュールを備え、モニターのＬＵＴ機能モジュールは色空間映写を実現するために用いられ、色調整箱のＬＵＴ機能モジュールは色調整処理を行うために用いられる。従ってシステム集積度が低い。
【発明の概要】
【発明が解決しようとする課題】
【０００７】
本発明の目的は、前記課題を解決し、ＬＵＴを色調整モニターに完全に集積することにより色調整システムを簡略化することができる色調整モニター、色調整システム及び色調整方法を提供することである。
【課題を解決するための手段】
【０００８】
本発明に係る色調整モニターは、入力信号画像に対してＬＵＴ映写を行うＬＵＴ映写機能を有し、内部にＬＵＴ記憶ユニットを有し、ＬＵＴデータを受信する受信モジュールと、ＬＵＴデータが予定条件と符合するか否かを解析して、もし予定条件と符合すると、受信したＬＵＴデータをＬＵＴ記憶ユニットに更新し且つ新しいＬＵＴ映写を行い、もし予定条件と合致しないと、ＬＵＴデータを捨てる解析モジュールと、解析モジュールの解析結果に基づいて新しいＬＵＴ映写を経過した後の入力信号画像を表示する表示モジュールと、を備える。
【０００９】
本発明に係る色調整モニターは、入力信号画像に対してＬＵＴ映写を行うＬＵＴ映写機能を有し、内部にＬＵＴ記憶ユニットを有し、ユーザーの操作によって特定格式のＬＵＴデータを生成するＬＵＴデータ生成モジュールと、ＬＵＴ記憶ユニットに接続されて、生成したＬＵＴデータをＬＵＴ記憶ユニットに更新し且つ新しいＬＵＴ映写を行う更新モジュールと、新しいＬＵＴ映写を経過した後の入力信号画像を表示する表示モジュールと、を備える。  
【００１０】
本発明に係る色調整システムは、入力信号画像に対してＬＵＴ映写を行うＬＵＴ映写機能を有する色調整モニターを備え、ユーザーの操作によって特定格式のＬＵＴデータを生成するＬＵＴデータ生成モジュールと、ＬＵＴデータを送信する送信モジュールと、ＬＵＴデータを受信する第一の受信モジュールと、ＬＵＴデータが予定条件と符合するか否かを解析して、もし予定条件と符合すると、受信したＬＵＴデータをＬＵＴ記憶ユニットに更新し且つ新しいＬＵＴ映写を行い、もし予定条件と合致しないと、ＬＵＴデータを捨てる解析モジュールと、解析モジュールの解析結果に基づいて、新しいＬＵＴ映写を経過した後の入力信号画像を表示する表示モジュールと、をさらに備える。
【００１１】
本発明に係る色調整方法は、入力信号画像に対してＬＵＴ映写を行うことができる色調整モニターを提供するステップと、ユーザーの操作によって特定格式のＬＵＴデータを生成するステップと、ＬＵＴデータを色調整モニターのＬＵＴ記憶ユニットに更新し且つ新しいＬＵＴ映写を行うステップと、新しいＬＵＴ映写を経過した後の入力信号画像を表示するステップと、を備える。
【発明の効果】
【００１２】
従来の技術に比べて、本発明の色調整モニターを採用する色調整システム及び色調整方法において、ユーザーがソフトウェアによってＬＵＴデータを生成してから、ＬＵＴデータを色調整モニターに送信する。色調整モニターはＬＵＴデータをＬＵＴ記憶ユニットにリアルタイムに更新する。色調整モニターは対応する応答情報を制御端末にフィードバックし、ユーザーは色調整モニターがフィードバックする応答情報及びスクリーンの変化に基づいて新しいＬＵＴデータがビデオ画面に対する影響をリアルタイムに観察することができ、従ってＬＵＴデータをリアルタイムに調整し、色調整箱を別に設置しなくても色調整操作を実現することができる。
【図面の簡単な説明】
【００１３】
【図１】本発明の第一実施例に係る色調整システムの機能ブロック図である。
【図２】本発明の第二実施例に係る色調整システムの機能ブロック図である。
【図３】本発明の実施例に係る色調整方法のフローチャートである。
【発明を実施するための形態】
【００１４】
以下、図面を参照して、本発明の実施例について説明する。  
【００１５】
第一実施例
【００１６】
図１は、本発明の第一実施例に係る色調整システム１００の機能ブロック図である。色調整システム１００は、制御端末１０及び制御端末１０に接続される色調整モニター２０を備える。本実施例において、制御端末１０はデスクトップパソコンである。他の実施例において、制御端末１０はタブレットパソコン、ポータブルコンピューター、携帯電話、プッシュボタンを有するコンソール（第二実施例で詳しく説明する）などであることができる。
【００１７】
制御端末１０は、ＬＵＴデータ生成モジュール１１及び発送モジュール１２を備える。
【００１８】
ＬＵＴデータ生成モジュール１１は、ユーザーの操作によって特定格式のＬＵＴデータを生成する。本実施例において、ＬＵＴデータ生成モジュール１１は特定の色調整ソフトウェアを運行することができる。ユーザーは自分の色調整需要に基づいて色調整ソフトウェアのパラメーターを調節して、色調整ソフトウェアがある計算方法（例えば、ＡＣＤＬ計算方法である）を執行することにして、ＬＵＴデータを計算して得る。
【００１９】
発送モジュール１２は、ＬＵＴデータを色調整モニター２０に発送する。本実施例において、発送モジュール１２は通信ネットワーク１３に接続されたネットワークポート１２１を備え、ＬＵＴデータは通信ネットワーク１３によって色調整モニター２０に発送される。ネットワークポート１２１は、ブロードバンド、ＷｉＦｉ、３Ｇ／４Ｇ、イーサネット（登録商標）、ブルートウース、Ｌｉｇｈｔｎｉｎｇ  ｎｅｔｗｏｒｋなどの通信ネットワークプロトコルを支持することができる。本実施例において、ブロードバンド通信ネットワークを採用してデータを送信したり受信したりする。
【００２０】
色調整モニター２０は、色空間のＬＵＴ映写機能を有し、入力信号画像に対してリアルタイムにＬＵＴ映写を行う。色調整モニター２０は、ＬＵＴ記憶ユニット２１、第一の受信モジュール２２、解析モジュール２３、更新モジュール２４、表示モジュール２５及び応答モジュール２６を備える。      
【００２１】
ＬＵＴ記憶ユニット２１はＬＵＴ  ＲＡＭであることができる。具体的に説明すると、ＬＵＴ  ＲＡＭはＳＲＡＭ、ＤＲＡＭ、フラッシュメモリなどであることができ、又はＬＵＴ  ＲＡＭをＬＵＴ  ＲＯＭに替えることができ、ユーザーの実際の需要によって採用する。他の実施例において、ＬＵＴ記憶ユニット２１はクラウドストレージであることもできる。
【００２２】
第一の受信モジュール２２は制御端末１０から送信するＬＵＴデータを受信する。本実施例において、制御端末１０の発送モジュール１２にドッキングするために第一の受信モジュール２２にもネットワークポート（図示せず）が設置される。
【００２３】
解析モジュール２３はＬＵＴデータが予定条件と符合するか否かを解析するために用いられ、もし予定条件と符合すると、受信したＬＵＴデータをＬＵＴ記憶ユニット２１に更新し、もし予定条件と合致しないと、ＬＵＴデータを捨てる。具体的に説明すると、解析モジュール２３は既存のデータ解析方式に基づいてＬＵＴデータに対して解析することができ、例えば、ＬＵＴデータからパラメーターを取り出して予定値と対比することにより解析結果を得ることができる。本実施例において、解析モジュール２３は受信したＬＵＴデータのデータ格式、データ長さ及び/又はデータ校正情報を予め設定した対応条件と比較して、もしマッチングすると解析結果は予定条件と合致し、もしマッチングしないと解析結果は予定条件と合致しない  。
【００２４】
更新モジュール２４は解析モジュール２３とＬＵＴ記憶ユニット２１の間に接続される。予定条件と符合する解析結果である場合、解析モジュール２３はＬＵＴデータを更新モジュール２４に送信し、更新モジュール２４はＬＵＴデータをＬＵＴ記憶ユニット２１に更新し且つＬＵＴ映写機能を利用して新しいＬＵＴ映写を行う。更新モジュール２４はＬＵＴ記憶ユニット２１の古いデータの記憶時間点及びＬＵＴデータを最新に獲得する時間点を読み取ることにより、ＬＵＴ記憶ユニット２１の中のＬＵＴデータの記憶時間点を更新する。更新モジュール２４は、ＬＵＴデータを更新した時間点を重点的に注記することができ、再度更新する時に注記を除去する。更新が完了してから、ユーザーは色調整モニター２０のスクリーンからビデオの色度変化をリアルタイムに観察することができる。
【００２５】
表示モジュール２５は解析モジュール２３の解析結果に基づいて新しいＬＵＴ映写を経過した後の入力信号画像を表示する。具体的に説明すると、表示モジュール２５は更新モジュール２４に接続され、予定条件と符合する解析結果である場合、更新モジュール２４は表示モジュール２５に制御信号を出力して、表示モジュール２５は新しいＬＵＴ映写を経過した後の入力信号画像を得て表示する。
【００２６】
応答モジュール２６は解析モジュール２３の解析結果を制御端末１０にフィードバックする。本実施例において、応答モジュール２６がフィードバックする応答情報は「データを正確に受信した」又は「データを間違いに受信した」である。具体的に説明すると、予定条件と符合する解析結果である場合、応答モジュール２６は「データを正確に受信した」という情報をフィードバックするが、予定条件と合致しない解析結果である場合、応答モジュール２６は「データを間違いに受信した」という情報をフィードバックする。
【００２７】
本実施例において、制御端末１０は第二の受信モジュール１４をさらに備える。第二の受信モジュール１４は応答モジュール２６がフィードバックする応答情報を受信して表示する。ユーザーは第二の受信モジュール１４に表示される応答情報に基づいてＬＵＴデータを再び更新（又は調整）する必要があるか否かを確認する。例えば、応答情報が「データを正確に受信した」である場合、ユーザーは色調整モニター２０のスクリーンの上の調整した後のビデオ変化に基づいてＬＵＴデータを更新する必要があるか否かを再度確認する。もし応答情報が「データを間違いに受信した」である場合、ユーザーは制御端末１０と色調整モニター２０の接続に問題があるか否かを検査する。
【００２８】
色調整システム１００を採用する場合、ユーザーがソフトウェアによってＬＵＴデータを生成してから、ＬＵＴデータを色調整モニター２０に伝送する。解析モジュール２３及び更新モジュール２４によってＬＵＴデータを色調整モニター２０のＬＵＴ記憶ユニット２１にリアルタイムに更新する。色調整モニター２０は対応する応答情報を制御端末１０にフィードバックすることができる。ユーザーは色調整モニター２０がフィードバックする応答情報及び色調整モニター２０のスクリーンの変化に基づいて新しいＬＵＴデータがビデオ画面に対する影響をリアルタイムに観察することができ、従ってＬＵＴデータをリアルタイムに調整し、色調整箱を別に設置しなくても色調整操作を実現することができる。  
【００２９】
第二実施例
【００３０】
図２を参照すると、本発明の第二実施例に係わる色調整システム２００と第一実施例に係わる色調整システム１００はほぼ同じであるが、以下の区別がある。制御端末１０ａは操作部（例えば、プッシュボタンである）を有するコンソール１５を備え、ＬＵＴデータ生成モジュール１１ａは色調整モニター２０ａに集積される。コンソール１５は色調整専用の色調整ステーション、キーボード又はマウスであることができる。本実施例において、コンソール１５はデータ伝送ケーブルによって色調整モニター２０ａに直接に接続される。データ伝送ケーブルはＵＳＢデータケーブル、ＰＳ２データケーブル、１３９４データケーブルなどであることができる。
【００３１】
色調整モニター２０ａはＬＵＴデータ生成モジュール１１ａ、更新モジュール２４及び表示モジュール２５を備える。
【００３２】
ＬＵＴデータ生成モジュール１１ａはユーザーの操作によって特定格式のＬＵＴデータを生成する。本実施例において、ユーザーは自分の色調整需要に基づいてコンソール１５を操作してプッシュボタン情報を生成し、ＬＵＴデータ生成モジュール１１ａはコンソール１５のプッシュボタン情報をリアルタイムに読み取り且つ特定算法に基づいてＬＵＴデータを生成する。
【００３３】
更新モジュール２４はＬＵＴ記憶ユニット２１ａに接続されて受信したＬＵＴデータをＬＵＴ記憶ユニット２１ａに更新し且つ新しいＬＵＴ映写を行う。表示モジュール２５は新しいＬＵＴ映写を経過した後の入力信号画像を表示する。更新モジュール２４及び表示モジュール２５の作動原理は第一実施例の更新モジュール及び表示モジュールの作動原理と同じであるので、ここで詳しく説明しない。
【００３４】
第二実施例の色調整モニター２０ａはネットワークに接続しなくてもＬＵＴデータを得ることができ、便利である。
【００３５】
第二実施例の色調整モニター２０ａは提示モジュール（図示せず）を設置することもでき、「更新を完成した」及び「更新が失敗した」などの提示情報を生成して、ユーザーがいつＬＵＴデータを調整するかを判断することにする。
【００３６】
図３は、本発明の実施例に係わる色調整方法のフローチャートである。本発明の色調整方法は以下のステップを備える。
【００３７】
ステップＳ３０１：入力信号画像に対してＬＵＴ映写を行うことができる色調整モニターを提供する。
【００３８】
ステップＳ３０３：通信ネットワークに接続する。
【００３９】
ステップＳ３０５：ユーザーの操作によって特定格式のＬＵＴデータを生成する。
【００４０】
ステップＳ３０７：ＬＵＴデータを色調整モニターに送信する。
【００４１】
ステップＳ３０９：色調整モニターは送信されたＬＵＴデータを受信する。
【００４２】
ステップＳ３１１：ＬＵＴデータが予定条件と符合するか否かを解析して、もし予定条件と符合すると、ステップＳ３１３を執行して、ＬＵＴデータをＬＵＴ記憶ユニットに更新し且つ新しいＬＵＴ映写を行い、もし予定条件と合致しないと、ステップＳ３１５を執行して、ＬＵＴデータを捨てる。
【００４３】
ステップＳ３１７：新しいＬＵＴ映写を経過した後の入力信号画像を表示する。
【００４４】
ステップＳ３１９：解析結果をフィードバックする。
【００４５】
ステップＳ３０１はステップＳ３０３の後に執行してもよく、本発明は各々のステップの執行順序を制限しない。
【００４６】
他の実施例において、ステップＳ３０３、ステップＳ３０７、ステップＳ３０９、ステップＳ３１１、ステップＳ３１５及びステップＳ３１９を省略することもでき、色調整モニター２０によって実現する。
【００４７】
本発明の色調整モニターを採用する色調整システム及び色調整方法において、ユーザーがソフトウェアによってＬＵＴデータを生成してから、ＬＵＴデータを色調整モニターに伝送する。色調整モニターはＬＵＴデータをＬＵＴ記憶ユニットにリアルタイムに更新する。色調整モニターは対応する応答情報を制御端末にフィードバックし、ユーザーは色調整モニターがフィードバックする応答情報及び色調整モニターのスクリーンの変化に基づいて新しいＬＵＴデータがビデオ画面に対する影響をリアルタイムに観察することができ、従ってＬＵＴデータをリアルタイムに調整し、色調整箱を別に設置しなくても色調整操作を実現することができる。
【００４８】
上述した実施例によって、本発明はソフトウェア及び必要とするハードウエアを結合する方式によって実現されることを本技術分野の技術人員はよく知っており、勿論全部ハードウエアによって実施することもできる。だから従来の技術に対する本発明の技術方案の貢献の全部又は部分はソフトウェア製品の形式で体現することができ、このコンピューターソフトウェア製品は記憶媒体に保存することができ、例えば、ＲＯＭ/ＲＡＭ、磁気ディスク、光ディスクなどであり、いくつかの指令を備えて、１つのコンピューター設備（パソコン、サーバー又はネットワーク設備などである）が本発明の各々の実施例又は実施例のある部分に叙述された方法を執行することにする。
【００４９】
以上本発明を実施例に基づいて具体的に説明したが、本発明は、上述の実施例に限定されるものではなく、その要旨を逸脱しない範囲において、いろいろと変更可能であることは勿論であって、本発明の保護範囲は、以下の特許請求の範囲から決まる。
【符号の説明】
【００５０】
１０，１０ａ  制御端末
１１，１１ａ  ＬＵＴデータ生成モジュール
１２  発送モジュール      
１３  通信ネットワーク
１４，２２  受信モジュール
１５  コンソール
２０，２０ａ  色調整モニター
２１，２１ａ  ＬＵＴ記憶ユニット
２３  解析モジュール
２４  更新モジュール
２５  表示モジュール
２６  応答モジュール
１００，２００  色調整システム
１２１  ネットワークポート
【図１】
2016534603.tif 000003
【図２】
2016534603.tif 000004
【図３】
2016534603.tif 000005
【国際調査報告】
2016534603.tif 000006
2016534603.tif 000007
2016534603.tif 000008
2016534603.tif 000009